(57)【特許請求の範囲】
【請求項１】
筒状に形成されるとともに底部が閉塞されたフィルタと、前記フィルタの形状を筒状に保持する形状保持手段と、を備えたバグフィルタ型集塵装置において、
前記フィルタの底部を内側から叩くノッキング装置を備え、該ノッキング装置は、
前記フィルタの内部にパルスジェット用のエアを噴射することによって前記底部側に移動するピストンと、
前記ピストンに連動し、前記底部を内側から叩くノッカーと、
を備えたことを特徴とするバグフィルタ型集塵装置。
【請求項２】
前記形状保持手段は、
前記フィルタの内周面或いは外周面に接した状態に固定されるとともに、前記フィルタの軸方向に所定の間隔で配設された複数のリング部材と、
前記フィルタの中心軸に沿って配置されるとともに、前記フィルタの底部を内側から支持するパイプ状の支持部材とからなり、
この支持部材の下端に前記ノッキング装置が装備されたことを特徴とする請求項１に記載のバグフィルタ型集塵装置。
【発明の詳細な説明】
【０００１】
【発明の属する技術分野】
本発明はバグフィルタ型集塵装置に係り、特に、フィルタの表面に堆積した塵埃をパルスジェット式に払い落とすバグフィルタ型集塵装置に関する。
【０００２】
【従来の技術】
バグフィルタ型集塵装置は、有底状のフィルタを用いてガス中のダストを捕集する装置である。フィルタは、通常、円筒状に形成され、集塵装置本体内に吊り下げられた状態で使用される。フィルタの上端開口に接続された吸引用ファンを駆動すると、集塵装置本体内に導入された含塵ガスがフィルタの外部から内部に吸引され、その際にガス中の塵埃がフィルタの外表面に捕集される。
【０００３】
捕集された塵埃をフィルタから払い落とす方法として、パルスジェット式と呼ばれる方法がある（例えば特許文献１参照）。この方法は、フィルタの上部にベンチュリ管とノズルを配置し、ノズルからベンチュリ管を介してフィルタの内部に圧縮エアを間欠的に噴射する。これにより、フィルタの外表面が脈動するので、外表面に付着していた塵埃がフィルタから払い落とされる。
【０００４】
【特許文献１】
特開平５−３２９３１７号公報（第３頁）
【０００５】
【発明が解決しようとする課題】
しかしながら、従来の集塵装置は、フィルタを脈動させても、粒径の小さい塵埃や粘性の大きい塵埃を払い落とすことができないという問題があった。
【０００６】
また、従来の集塵装置は、フィルタの底部に弱い脈動しか伝わらないため、フィルタの底部付近に付着した塵埃を効果的に払い落とすことができないという問題があった。
【０００７】
本発明はこのような事情に鑑みて成されたもので、フィルタの全面において塵埃を確実に払い落とすことのできるバグフィルタ型集塵装置を提供することを目的とする。
【０００８】
【課題を解決する為の手段】
請求項１に記載の発明は前記目的を達成するために、筒状に形成されるとともに底部が閉塞されたフィルタと、前記フィルタの形状を筒状に保持する形状保持手段と、を備えたバグフィルタ型集塵装置において、前記フィルタの底部を内側から叩くノッキング装置を備え、該ノッキング装置は、前記フィルタの内部にパルスジェット用のエアを噴射することによって前記底部側に移動するピストンと、前記ピストンに連動し、前記底部を内側から叩くノッカーと、を備えたことを特徴としている。
【０００９】
請求項１に記載の発明によれば、フィルタの内部にエアを噴射することによって、ノッカーがピストンとともに底部側に移動して底部を内側から叩き、フィルタを緊張させる。また、その直前には、フィルタの内部に噴射されたエアによって、フィルタは膨張した状態になる。したがって、フィルタが膨張状態から緊張状態に瞬時に変化し、フィルタの外表面が激しく変位するので、外表面に付着した塵埃を効果的に払い落とすことができる。また、緊張状態になったフィルタの内側から外側にエアが通過するので、フィルタを全面において均等に逆洗することができ、塵埃を確実に払い落とすことができる。
【００１０】
請求項２に記載の発明によれば、形状保持手段は、フィルタの内周面或いは外周面に接した状態に固定されるとともに、フィルタの軸方向に所定の間隔で配設された複数のリング部材と、フィルタの中心軸に沿って配置されるとともに、前記フィルタの底部を内側から支持するパイプ状の支持部材とからなり、この支持部材の下端にノッキング装置が装備されたことを特徴としている。この構成の形状保持手段は、フィルタがリング部材同士の間で収縮、膨張、緊張などの状態を繰り返しても、リング部材がフィルタに固定されているため、フィルタが擦れる量が少ない。したがって、ノッキング装置でフィルタを内側から叩いて緊張させても、フィルタがリング部材に擦れる量が少ないので、フィルタの寿命を延長させることができる。
【００１１】
【発明の実施の形態】
以下添付図面に従って、本発明に係るバグフィルタ型集塵装置（以下、集塵装置という）の好ましい実施の形態について詳説する。
【００１２】
図１は第１の実施形態の集塵装置１０の全体構成を示す斜視図である。
【００１３】
同図に示すように、集塵装置１０は、ケーシング１２を有し、このケーシング１２の側面中央部に入口ダクト１４が接続されている。また、入口ダクト１４と反対側の側面上部には、出口ダクト１６が接続されている。出口ダクト１６は、不図示の吸引用ファンに接続されており、この吸引用ファンを駆動することによって、含塵ガスが入口ダクト１４からケーシング１２内に導入され、出口ダクト１６から排出される。
【００１４】
ケーシング１２の内部には、仕切り板１８が水平に配設されており、この仕切り板１８によってケーシング１２の内部が、上側（すなわち出口ダクト１６側）と下側（すなわち入口ダクト１４側）に仕切られている。仕切り板１８には、多数の孔２０、２０、…が形成されており、この孔２０に対応する位置にフィルタ２２が吊り下げられている。
【００１５】
フィルタ２２は、円筒状に形成された有底状の濾布であり、フィルタ２２の上端の開口部は、仕切り板１８の孔２０を臨むようにして取り付けられている。したがって、入口ダクト１４からケーシング１２内に導入された含塵ガスは、フィルタ２２の外部から内部へ入り込んだ後、孔２０を通り、出口ダクト１６から排出される。その際、含塵ガス中の塵埃は、フィルタ２２の外表面に捕集される
なお、図１の符号２４はバッフルプレートであり、入口ダクト１４から流入した含塵ガスが直接フィルタ２２に当たらないようになっている。
【００１６】
図２はフィルタ２２の内部構造を示す断面図である。
【００１７】
同図に示すようにフィルタ２２の内部には、複数のリング部材２６、２６…、及びパイプ部材２８から成る形状保持手段が設けられている。
【００１８】
リング部材２６は、ステンレス製の棒材などによってリング状に形成されており、その外径寸法はフィルタ２２の内径寸法と略同じ大きさで形成されている。リング部材２６は、フィルタ２２の内部に挿入され、フィルタ２２の内周面と全周にわたって接する状態で、フィルタ２２に固定される。その固定方法としては、例えば、図３に示すように、リング部材２６を布材３０と布材３２で挟み込み、この布材３０、３２を同時にフィルタ２２に縫い合わせる。その際、二点鎖線で示す位置で全周にわたって縫い合わせる。これにより、リング部材２６を全周にわたって確実にフィルタ２２に固定することができる。なお、布材３０、３２の材質としては、フィルタ２２と同じ濾材を使用することが好ましい。
【００１９】
図２に示すように、各リング部材２６は、フィルタ２２の軸方向（すなわち高さ方向）に一定の間隔で配置されている。このように、複数のリング部材２６を一定の間隔でフィルタ２２に固定することによって、フィルタ２２の周面が内側に狭まって円筒形状が潰れることを防止することができる。なお、リング部材２６は、フィルタ２２の内部に吸引力が付与される除塵処理時に、形状が変形しない程度の強度を有するように、太さや材質が選択される。
【００２０】
一方、パイプ部材２８は、フィルタ２２の中心軸に沿って配置され、不図示の支持手段によって仕切り板１８に固定されている。パイプ部材２８の周面には、多数の貫通孔２８Ａ、２８Ａ…が形成されており、この貫通孔２８Ａを介してパイプ部材２６の内外が連通されている。なお、貫通孔２８Ａは、パイプ部材２８の軸方向において、リング部材２６、２６同士の中間となる位置に形成することが好ましい。また、同じ高さ位置において、等しい角度間隔で（たとえば９０°毎に）複数の貫通孔２８Ａを形成することが好ましい。
【００２１】
パイプ部材２８の上端には、ベンチュリ管３４が設けられ、このベンチュリ管３４の上方にノズル３６が下向きに配置されている。このノズル３６から下向きにパルスジェット用のエアを噴射することによって、ベンチュリ管３４を通過した圧縮空気がパイプ部材２８の内部に給気される。給気された圧縮空気は、パイプ部材２８の貫通孔２８Ａ、２８Ａ…からフィルタ２２の内周面に向けて吹き出される。なお、ノズル３６によるエアの噴射は、間欠的に行われる。また、エアの噴射は、全てのフィルタ２２において同時に行うのではなく、フィルタ２２を複数のグループに分けて順次行うようにするとよい。
【００２２】
パイプ部材２８の下端には、円環３８が水平に取り付けられている。この円環３８は、丸鋼で形成した円輪３８Ｂをリブ３８Ｃで補強した構造であり、円輪３８Ｂの径は、フィルタ２２の内断面積（すなわち、フィルタ２２の軸と直交方向に切断した際のフィルタ２２の内側断面積）と略同じ大きさに形成されている。この円環３８によって、フィルタ２２が軸方向に窄まることが防止される。
【００２３】
円環３８には、ノッキング装置４０が取り付けられている。ノッキング装置４０は主として、ピストン４２、ロッド４４、ノッカー４６、及びスプリング４８で構成される。
【００２４】
ロッド４４は、円環３８の中心に形成された孔３８Ａに挿通され、このロッド４４の上端にはピストン４２が取り付けられている。ピストン４２は、パイプ部材２８の内部に給気された圧縮エアを受けて下降するようになっている。
【００２５】
ロッド４４の下端にはノッカー４６が取り付けられている。ノッカー４６は、カップ状に形成され、ピストン４２とともに上下動する。したがって、ピストン４２が下降することによって、ノッカー４６が下降してフィルタ２２の底部を内側から押圧する。これにより、フィルタ２２が下方に引っ張られ、フィルタ２２が緊張した状態になる。
【００２６】
ロッド４４の外側には、スプリング４８が設けられている。スプリング４８は、ピストン４２と円環３８との間に設けられ、ピストン４２を上方に付勢する。したがって、圧縮エアを受けてないピストン４２は上方に押し上げられる。なお、フィルタ２２の内部に吸引力が働いた際、フィルタ２２が縮まってフィルタ２２の底部がノッカー４６を押し上げることを利用し、スプリング４６を使用しない構造としてもよい。
【００２７】
次に上記の如く構成された集塵装置１０の作用について説明する。
【００２８】
除塵処理時、フィルタ２２の内部に吸引力が付与される。これにより、図４に示すように、含塵ガスがフィルタ２２の外部から内部に吸引され、塵埃がフィルタ２２の外表面に捕集される。その際、ノッキング装置４０ではスプリング４８の付勢力によって、ノッカー４６が上方に移動し、フィルタ２２の底部も上方に押し上げられ弛緩する。この底部の弛緩に伴って、フィルタ２２は、リング部材２６、２６同士の間が内側に縮んで、収縮状態になる。
【００２９】
除塵処理によってフィルタ２２の外表面に堆積した塵埃は、ノズル３６から圧縮エアを間欠的に噴射することによって払い落とされる。すなわち、図５に示すように、ノズル３６から圧縮エアを噴射することによって、圧縮エアがベンチュリ管３４を介してパイプ部材２８の内部に給気され、さらに、パイプ部材２８の貫通孔２８Ａからフィルタ２２の内周面に向けて吹き出される。このとき、貫通孔２８Ａがリング部材２６、２６同士の中間位置に配置されているので、リング部材２６、２６同士の間で縮んでいたフィルタ２２が、外側に向けて押圧され、フィルタ２２が瞬間的に外側に膨れた膨張状態になる。このように、リング部材２６、２６同士の間のフィルタ２２が収縮状態から膨張状態に変化することによって、フィルタ２２の外表面が大きく変位するので、その外表面に堆積していた塵埃は払い落とされる。特に、本実施の形態では、パイプ部材２８を用いて圧縮エアを噴射するようにしたので、フィルタ２２の底部にも確実に圧縮エアを吹き付けることができ、フィルタ２２の底部近辺も確実に膨張させることができる。したがって、フィルタ２２の全面において塵埃を払い落とすことができる。
【００３０】
圧縮エアがパイプ部材２８の底部まで達すると、図２に示すように、ノッキング装置４０のピストン４２が圧縮エアを受けて下降し、ノッカー４６がフィルタ２２の底部を内側から押圧する。これにより、フィルタ２２が下方に引っ張られるため、リング部材２６、２６同士の間で膨張していたフィルタ２２が膨れ戻りし、その結果、直線状に緊張した緊張状態になる。このように、膨張状態のフィルタ２２を緊張状態に変化させることによって、フィルタ２２に堆積していた塵埃をより効果的に払い落とすことができ、特に粒径の細かい塵埃や粘性の高い塵埃を払い落とすことができる。
【００３１】
フィルタ２２が緊張状態になった後、圧縮エアはフィルタ２２の内側から外側に通過する。これにより、フィルタ２２が逆洗され、フィルタ２２に堆積していた塵埃がさらに払い落とされる。なお、払い落とされた塵埃は、図１のホッパ１２Ａに堆積され、定期的に外部に取り出される。
【００３２】
エアの噴射が終了すると、フィルタ２２の内部に再び吸引力が働き、フィルタ２２は、図４に示す状態に戻り、除塵処理が行われる。
【００３３】
このように本実施の形態の集塵装置１０によれば、形状保持手段であるパイプ部材２８の下端にノッキング装置４０を設けることにより、フィルタ２２を引っ張って緊張させるようにしたので、フィルタ２２の表面に堆積した塵埃の払い落とし効果を向上させることができる。
【００３４】
また、本実施の形態によれば、パイプ部材２８の内部に噴射した圧縮空気によってノッキング装置４０のノッカー４６がフィルタ２２を叩くようにしたので、ノッキング装置４０に駆動手段を別途設ける必要がない。また、圧縮空気によってフィルタ２２が膨張した直後にフィルタ２２が緊張するので、フィルタ２２の表面が激しく変位し、表面に付着していた塵埃が勢い良く弾き飛ばされる。したがって、塵埃の払い落とし効果が大きく向上する。
【００３５】
また、本実施の形態によれば、パイプ部材２８の内部に圧縮エアを噴射したので、圧縮エアがフィルタ２２の底部まで到達し、フィルタ２２の全体を膨張させることができる。したがって、フィルタ２２に付着した塵埃をフィルタ２２の全面において確実に払い落とすことができる。
【００３６】
さらに、本実施の形態によれば、フィルタ２２の形状保持手段を、フィルタ２２に固定されたリング部材２６と、フィルタ２２の中心軸に沿って配置されたパイプ部材２８とによって構成したので、フィルタ２２がリング部材２６、２６同士の間で収縮、膨張、緊張を繰り返しても、フィルタ２２がリング部材２６に激しく擦れることがない。したがって、フィルタ２２が短期間で損傷、劣化することを防止でき、フィルタ２２の寿命を延長させることができる。
【００３７】
なお、上述した実施の形態は、フィルタ２２の内側にリング部材２６を固定したが、図６に示すようにフィルタ２２の外側にリング部材２６を固定するようにしてもよい。この場合にも、布材３０と布材３２とでリング部材２６を挟み込み、この布材３０、３２を全周にわたってフィルタ２２に縫い合わせるとよい。
【００３８】
図７は本発明に係る集塵装置の第２の実施形態におけるフィルタ２２の内部を示す断面図である。
【００３９】
同図に示す第２の実施形態は、フィルタ２２の形状を円筒状に保持する形状保持手段として、リテーナ５２が使用されている。リテーナ５２は、平行、且つ同軸状に配置された複数のリング部材５４、５４…、及び、このリング部材５４の軸方向に配置され、リング部材５４の外周面に熔接された複数の連結線材５６、５６…とによって円筒状に構成されている。リテーナ５２の下端には、円環５０が設けられており、この円環５０にノッキング装置４０が取り付けられている。
【００４０】
上記の如く構成された第２実施形態においても、ノッキング装置４０がフィルタ２２の底面を内側から押圧してフィルタ２２を緊張させるので、フィルタ２２の表面に堆積した塵埃の払い落とし効果が向上する。
【００４１】
【発明の効果】
以上説明したように本発明に係るバグフィルタ型集塵装置によれば、ノッキング装置でフィルタの底部を内側から叩くようにしたので、フィルタを瞬間的に緊張状態にすることができ、フィルタの全面において塵埃を確実に払い落とすことができる。
【図面の簡単な説明】
【図１】本発明に係る集塵装置の第１の実施形態を示す斜視図
【図２】フィルタの内部構造を示す断面図
【図３】リング部材の固定部分を示す断面図
【図４】除塵処理時のフィルタを示す断面図
【図５】エア噴射直後のフィルタを示す断面図
【図６】フィルタの外側に固定したリング部材を示す断面図
【図７】本発明に係る集塵装置の第２の実施形態におけるリング部材の内部構造を示す断面図
【符号の説明】
１０…集塵装置、１２…ケーシング、１４…入口ダクト、１６…出口ダクト、１８…仕切り板、２０…仕切り板、２２…フィルタ、２４…バッフルプレート、２６…リング部材、２８…パイプ部材、３０、３２…布材、３４…ベンチュリ管、３６…ノズル、３８…円環、４０…ノッキング装置、４２…ピストン、４４…ロッド、４６…ノッカー、４８…スプリング、５０…円環、５２…リテーナ、５４…リング部材、５６…連結線材
【図１】
0003646801.tif 000002
【図２】
0003646801.tif 000003
【図３】
0003646801.tif 000004
【図４】
0003646801.tif 000005
【図５】
0003646801.tif 000006
【図６】
0003646801.tif 000007
【図７】
0003646801.tif 000008